(57)【要約】【課題】海、川、湖等で行われる各種釣りに使用される疑似餌であって、更に詳しくは、環状部材及び係止体等の別体を用いた取付手段を要さず、容易に疑似体を着脱可能とする疑似餌を提供する。【解決手段】取付本体に釣針及び疑似体を着脱可能とする疑似餌において、弾性素材で成形される抜止部材を有する疑似体を、取付本体における取付孔に嵌挿させるとともに、前記抜止部材を弾性変形させ、前記取付孔に着脱可能に固着したことを特徴とする疑似餌。【選択図】  図６
2008211976.tif 000002
【特許請求の範囲】
【請求項１】
取付本体に釣針及び疑似体を着脱可能とする疑似餌において、
弾性素材で成形される抜止部材を有する疑似体を、
取付本体における取付孔に嵌挿させるとともに、
前記抜止部材を弾性変形させ、前記取付孔に着脱可能に固着したことを特徴とする疑似餌。
【請求項２】
取付本体に釣針と疑似体を着脱可能とする疑似餌において、
前記疑似体の端部に疑似餌部を設けたことを特徴とする請求項１に記載の疑似餌。
【請求項３】
取付本体に釣針と疑似体を着脱可能とする疑似餌において、
前記取付本体における前記取付孔の底部と、
前記取付孔に嵌挿される前記疑似体の端部に、
磁力による吸着手段を設けたことを特徴とする請求項１及び請求項２に記載の疑似餌。
【発明の詳細な説明】
【技術分野】
【０００１】
本発明は、各種釣りに使用される疑似餌であって、更に詳しくは、疑似体を着脱可能とする疑似餌に関するものである。
【背景技術】
【０００２】
従来より、疑似餌を用いた海、川、湖等で行われる各種釣りが愛好されている。疑似餌には、釣針に疑似体を突き刺して使用されるもの、及び釣針と疑似体等が一体として使用されるもの等が公知である。
【０００３】
しかし、釣針に疑似体を突き刺して使用される疑似餌にあっては、疑似体に釣針を突き刺して使用するため、疑似体に突き刺した釣針跡が残り、複数回の使用には限度がある。
【０００４】
一方、釣針及び疑似体等が一体とされている疑似餌にあっては、釣糸に付けている疑似餌を交換する際には、その都度、釣糸を切断して疑似餌を取り付け、釣糸で固結しなければならず、指先での細かな作業となり初心者には困難を要するものである。
【０００５】
このような問題を解決するものであって、疑似体を簡単に取替えできる釣針であって、疑似体が弾力を有する樹脂成形体から形成されており、疑似体を弾性変形させることによって、釣針の軸部に外嵌された環状部材内側に嵌着されたものが公知である。（例えば、特許文献１参照）
【０００６】
また、係止領域を有する釣針の係止領域に疑似体を差し込んで、係止体を挿入して相互間を着脱可能とするものも公知である。（例えば、特許文献２参照）
【０００７】
特許文献１に記載の疑似針では、疑似体は、環状部材に嵌着され釣針に取り付けられるので、疑似体を傷つけることはなく、容易に疑似体を釣針に取り付け又は取り外しができるものである。
【０００８】
また、特許文献２に記載の疑似餌システムでは、釣針と疑似体とを容易に着脱可能とすることができるとともに、釣針と疑似体のズレや回転を防止することができるものである。
【特許文献１】特開２０００−５０７６５号公報
【特許文献２】特開２００２−１１２６６９号公報
【発明の開示】
【発明が解決しようとする課題】
【０００９】
しかし、特許文献１及び特許文献２のいずれの発明においても、疑似体は環状部材及び係止体等の別体によって取り付けられるものであり、取り付け時の煩雑さ、環状部材及び係止体等の別体を誤って紛失してしまった場合には、疑似体は使用不可能となってしまうこと等が懸念される。
【００１０】
そこで、本発明はこのような問題点を解決するものであって、各種釣りに使用される疑似餌であって、更に詳しくは、環状部材及び係止体等の別体を用いた取付手段を要さず、容易に疑似体を着脱可能とする疑似餌を提供することを課題とする。
【課題を解決するための手段】
【００１１】
前記問題点を解決するために、本発明の請求項１に記載の発明の疑似餌は、取付本体に釣針及び疑似体を着脱可能とする疑似餌において、弾性素材で成形される抜止部材を有する疑似体を、取付本体における取付孔に嵌挿させるとともに、前記抜止部材を弾性変形させ、前記取付孔に着脱可能に固着したことを特徴とするものである。
【００１２】
また、本発明の請求項２に記載の発明の疑似餌は、請求項１に記載の疑似餌において、前記疑似体の端部に疑似餌部を設けたことを特徴とするものである。
【００１３】
また、本発明の請求項３に記載の発明の疑似餌は、請求項１及び請求項２に記載の疑似餌において、前記取付本体における前記取付孔の底部と、前記取付孔に嵌挿される前記疑似体の端部に、磁力による吸着手段を設けたことを特徴とするものである。
（作用）
【００１４】
請求項１記載の疑似餌に係る発明では、取付本体に釣針及び疑似体を着脱可能とする疑似餌において、弾性素材で成形される抜止部材を有する疑似体を、取付本体における取付孔に嵌挿させるとともに、前記抜止部材を弾性変形させ、前記取付孔に着脱可能に固着したので、気温や水温等の環境要因によって、魚が潜む水深層が変化したりする場合には、その状況に応じて前記疑似体のみを即座に交換することができる。
【００１５】
請求項２記載の疑似餌に係る発明では、請求項１に記載の疑似餌において、前記疑似体の端部に疑似餌部を設けたので、前記取付本体における前記取付孔の付近に前記疑似餌部を設けることができる。
【００１６】
また、本発明の請求項３に記載の発明の疑似餌は、請求項１及び請求項２に記載の疑似餌において、前記取付本体における前記取付孔の底部と、前記取付孔に嵌挿される前記疑似体の端部に、磁力による吸着手段を設けたので、前記取付本体に対する固着力を更に向上させることができる。
【発明の効果】
【００１７】
請求項１の発明によれば、取付本体に釣針及び疑似体を着脱可能とする疑似餌において、弾性素材で成形される抜止部材を有する疑似体を、取付本体における取付孔に嵌挿させるとともに、前記抜止部材を弾性変形させ、前記取付孔に着脱可能に固着したので、使用時において、気温や水温等の環境要因によって、魚が潜む水深層が変化したりする場合には、その状況に応じて前記疑似体のみを即座に交換することができる。
また、前記疑似体に弾性素材で成形される抜止部材を有して嵌挿されるので、環状部材及び係止体等の別体を有した取付手段とは異なり、取り付け時の煩雑さもない。
また、前記抜止部材は、前記疑似体に設けられているので、環状部材及び係止体等の別体のように紛失する虞もない。
【００１８】
請求項２の発明によれば、請求項１に記載の疑似餌において、前記疑似体の端部に疑似餌部を設けたので、前記取付本体における前記取付孔の付近に前記疑似餌部を設けることができる。
これによって、集魚効果を損なうことなく前記疑似体を前記取付本体に取り付けることができる。
また、前記疑似体を脱着する際には、前記疑似餌部を把持して引き抜くことで、容易に脱着することができる。
【００１９】
請求項３の発明によれば、請求項１及び請求項２に記載の疑似餌において、前記取付本体における前記取付孔の底部と、前記取付孔に嵌挿される前記疑似体の端部に、磁力による吸着手段を設けたので、前記取付本体に対する固着力を更に向上させることができる。
また、前記疑似体を別の疑似餌と交換して使用しない場合には、磁力を有するものに吸着させておくことで、紛失することもなくなる。
【００２０】
以下、本発明の実施の形態における疑似餌部を図面に基づいて説明する。
【実施例１】
【００２１】
本発明の疑似餌部の実施例１について図１乃至図８に基づいて説明する。
【００２２】
疑似餌１は、主に釣糸４及び釣針５を取付可能とする取付本体２及び疑似体３によって構成されている。前記取付本体２は、錘としての機能を包含することもできる。
【００２３】
図１に示す前記取付本体２は、鉛等の金属をラバーキャスト製法によって成形される。前記取付本体２は、魚の頭のような形状とし、魚の口のような平坦上部２ａ及び平坦下部２ｂが設けられている。また、前記平坦上部２ａには、取付孔２ｃが設けられており、前記取付本体２の表面には、魚の目のような装飾部２ｆが施されている。
また、前記取付本体２の頂部付近には、前記釣糸４が取り付けられる略リング状の釣糸取付部２ｄが設けられている。そして、前記取付本体２における前記釣糸取付部２と略対向に位置する魚の口のような前記平坦下部２ｂの下方には、前記釣針５が取り付けられる略リング状の釣針取付部２ｅが設けられている。
【００２４】
前記取付本体２の形状は、魚の頭のような形状としなくてもよく、他の形状とすることもできる。
更に、前記取付本体２に前記取付孔２ｃが設けられていればよく、魚の口のような前記平坦上部２ａ及び前記平坦下部２ｂは設けなくてもよいし、他の形状とすることもできる。
すなわち、前記取付孔２ｃは、前記釣針取付部２ｅの付近に設けられていればよいものである。
【００２５】
図２に示す疑似体３は、主に、紐部３ａ、２個のスリーブ３ｃ、抜止部材３ｄ、疑似餌部３ｅ及び前記疑似餌部３ｆから形成されている。前記紐部３ａは、前記抜止部材３ｄ、前記疑似餌部３ｅ及び前記疑似餌部３ｆを持設するために設けられており、組紐のようなものであればよく、ワイヤーのようなものを用いることもできる。
【００２６】
前記スリーブ３ｃは、ＳＵＳ等の錆びにくい鉄製の薄いパイプ状のもので、前記紐部３ａを覆設するために設けられる。また、別の役割として前記抜止部材３ｄ、前記疑似餌部３ｅ及び前記疑似餌部３ｆを前記紐部３ａにしっかりと固着させる為に設けられている。前記スリーブ３ｃの外形は、前記取付本体２における前記取付孔２ｃに嵌合されるよう、前記取付孔２ｃより小さく設けられている。
【００２７】
前記抜止部材３ｄ、前記疑似餌部３ｅ及び前記疑似餌部３ｆは、生ゴム、合成ゴム、シリコン等の弾性を有する素材で形成されている。また、前記抜止部材３ｄ及び前記疑似餌部３ｆは、細い糸状に成形されており、前記疑似餌部３ｅは、端部の尖った略ネクタイ形状としている。これらは、いずれも集魚効果を高めるもので、他の形状とすることもできる。
【００２８】
前記疑似体３は、次のようにして構成される。
第１に、図３（ａ）に示すように、折曲部３ｂを有するようにして、前記紐部３ａを略Ｕ字状に配置する。その後、前記紐部３ａにおける前記折曲部３ｂの内側に、弾性素材で成形された前記疑似餌部３ｅ及び前記疑似餌部３ｆを配置する。このとき、前記疑似餌部３ｅ及び前記疑似餌部３ｆにおける長さ方向の中央部が前記折曲部３ｂに位置することが望ましい。これによって、前記疑似餌部３ｅ及び前記疑似餌部３ｆの長さは、前記折曲部３ｂにおいて、均等とすることができる。
【００２９】
次に、図３（ｂ）に示すように、前記スリーブ３ｃを、プレス等によって前記紐部３ａに覆設させる。このとき、前記スリーブ３ｃは、前記紐部３ａにおける前記折曲部３ｂに近接させることで、前記疑似餌部３ｅ及び前記疑似餌部３ｆは、前記折曲部３ｂとの間において挟持されて固着される。
【００３０】
次に、前記スリーブ３ｃと前記紐部３ａによって、前記紐部３ａが略Ｖ字が形成されている内側に、前記抜止部材３ｄを配置する。このときも、前記抜止部材３ｄにおける長さ方向の中央部が、略Ｖ字に形成された前記紐部３ａの内側に位置することが望ましい。これによって、前記抜止部材３ｄの長さは、前記紐部３ａにおいて、均等とすることができる。
【００３１】
その後、図４（ｃ）に示すように、再び、前記スリーブ３ｃを、プレス等によって前記紐部３ａに覆設させる。このとき、前記スリーブ３ｃは、先に前記紐部３ａに覆設された前記スリーブ３ｃと近接させることで、前記抜止部材３ｄは、先に前記紐部３ａに覆設された前記スリーブ３ｃとの間において挟持されて固着される。
このように、前記スリーブ３ｃを２箇所に設け、各スリーブの長さを短くして強度を保つことで、前記スリーブ３ｃが容易に折曲しないようにしている。
【００３２】
最後に、図４（ｄ）に示すように、前記スリーブ３ｃよりはみ出している前記紐部３ａを切断することで、前記疑似体３は構成される。
【００３３】
このようにして構成される前記取付本体２及び前記疑似体３は、次のようにして着脱可能とされる。
【００３４】
図５に示すように、前記取付本体２における前記釣糸取付部２ｄには前記釣糸４が取り付けられ、前記釣針取付部２ｅには釣糸を有する前記釣針５が取り付けられている。この状態で、前記疑似体３を前記取付本体２における前記取付孔２ｃに嵌挿させる。このとき、前記疑似体３における前記抜止部材３ｄは、生ゴム、合成ゴム、シリコン等の弾性を有する素材で形成されている為、前記取付本体２における前記取付孔２ｃと前記疑似体３の間隙に、押縮されながら嵌挿される。
【００３５】
これによって、図６及び図７に示すように、前記抜止部材３ｄは、前記取付本体２における前記取付孔２ｃの内壁に密着し、前記疑似体３は前記取付本体２に固着される。このとき、前記疑似体３は、前記抜止部材３ｄが押縮されることによって、前記取付本体２に固着されているので、使用時においては容易に脱着することはない。
一方、前記抜止部材３ｄの弾性変形によって固着されていることから、前記疑似体３を取り外す際は、弾性変形による摩擦力より大きい外力で、前記取付本体２から前記疑似体３における前記疑似餌部３ｅ及び前記疑似餌部３ｆを引き抜くことで容易に脱着させることができる。
【００３６】
本実施例によれば、前記疑似体３に弾性素材からなる前記抜止部材３ｄを設け、前記取付本体２における前記取付孔２ｃと前記疑似体３の間隙に、前記抜止部材３ｄを押縮させながら、前記疑似体３を嵌挿させるので、環状部材及び係止体等の別体を有した取付手段とは異なり、取り付け時の煩雑さもない。また、環状部材及び係止体等の別体を紛失することもない。
また、前記疑似体３を取り外す際においても、前記取付本体２から前記疑似体３を引き抜くことで容易に脱着させることができるので、気温や水温等の環境要因によって、魚が潜む水深層が変化したりする場合には、その状況に応じて前記疑似体３のみを即座に交換することができる。
【００３７】
また、本実施例においては、前記疑似体３における前記抜止部材３ｄは細い糸状として前記疑似体３に設けたが、前記取付本体２における前記取付孔２ｃと前記疑似体３の間隙に押縮させながら、前記取付本体２における前記取付孔２ｃの内壁に密着させることができるものであればよい趣旨である。
従って、前記抜止部材３ｄの形状は、図８（ａ）に示すように、前記取付本体２における前記取付孔２ｃの外径よりも僅かに大きいリング状とすることもできるし、他の形状とすることもできる。
【００３８】
また、前記スリーブ３ｃにおいては、図８（ｂ）に示すように、断面を略８字状としたパイプ状のものとすることもできる。この場合においては、前記紐部３ａをそれぞれの貫通孔に通して使用することができる。また、これに限らず、前記紐部３ａに前記抜止部材３ｄ、前記疑似餌部３ｅ及び前記疑似餌部３ｆを固着することができるものであればよい趣旨である。
【００３９】
従って、前記抜止部材３ｄ及び前記スリーブ３ｃの形状は、本実施例に限られることなく、あくまで、前記疑似体３が前記取付本体２に対して、前記取付本体２における前記取付孔２ｃと前記疑似体３の間隙に、前記抜止部材３ｄが押縮されて、前記疑似体３が着脱可能となればよい趣旨である。
【００４０】
また、前記取付本体２における前記取付孔２ｃの底部、及び前記疑似体３における前記紐部３ａの端部にマグネットを設けることで、前記取付本体２に対する固着力を更に向上させることができる。
また、マグネットを設ける箇所は、前記のいずれか一方とすることもできる。この場合においては、マグネットを有しない他方においては磁性体を設けることで、両者は吸着効果を奏する。
【実施例２】
【００４１】
本発明の疑似餌部の実施例２について図９に基づいて説明する。
【００４２】
実施例２において、前記実施例１における疑似餌部と同様の作用及び効果を奏するものであるが、錘６と前記取付本体２との構造が異なるものである。以下、相違点についてのみ説明する。
【００４３】
図９に示すように、実施例２における前記錘６には、前記釣糸４を取付可能とする貫通孔６ａ、前記疑似体３を着脱可能とする取付孔６ｂが設けられている。前記疑似体３を取り付けた前記錘６は集魚錘として使用される為、前記釣糸４に取り付けられたワーム７を有した釣針５と前記疑似体３における両者の位置関係は、近い方が望ましい。
前記疑似体３の着脱は、前記実施例１と同様にして行うことができる。
【図面の簡単な説明】
【００４４】
【図１】本発明の実施例１における取付本体の（ａ）正面図、（ｂ）右側面図である。
【図２】本発明の実施例１における疑似体の正面図である。
【図３】本発明の実施例１における疑似体の（ａ）紐部の折曲部に疑似餌部を取り付ける工程、（ｂ）紐部にスリーブを取り付ける工程の一部断面図である。
【図４】本発明の実施例１における疑似体の（ｃ）紐部にスリーブを取り付ける工程の一部断面図、（ｄ）完成品の一部断面図である。
【図５】本発明の実施例１における着脱前の取付本体及び疑似体の正面図である。
【図６】本発明の実施例１における着脱後の取付本体及び疑似体の正面図である。
【図７】本発明の実施例１における着脱後の取付本体及び疑似体の一部拡大断面図である。
【図８】本発明の実施例１における疑似体の（ａ）別仕様の抜止部材の一部断面図、（ｂ）別仕様のスリーブの一部断面図である。
【図９】本発明の実施例２における着脱後の錘及び疑似体の正面図である。
【符号の説明】
【００４５】
１      疑似餌
２      取付本体
２ａ    平坦上部
２ｂ    平坦下部
２ｃ    取付孔
２ｄ    釣糸取付部
２ｅ    釣針取付部
２ｆ    装飾部
３      疑似体
３ａ    紐部
３ｂ    折曲部
３ｃ    スリーブ
３ｄ    抜止部材
３ｅ、３ｆ    疑似餌部
４      釣糸
５      釣針
６      錘
６ａ    貫通孔
６ｂ    取付孔
７      ワーム
【図１】
2008211976.tif 000003
【図２】
2008211976.tif 000004
【図３】
2008211976.tif 000005
【図４】
2008211976.tif 000006
【図５】
2008211976.tif 000007
【図６】
2008211976.tif 000008
【図７】
2008211976.tif 000009
【図８】
2008211976.tif 000010
【図９】
2008211976.tif 000011